【手続補正書】
【提出日】平成25年8月20日(2013.8.20)
【手続補正１】
【補正対象書類名】明細書
【補正対象項目名】００２７
【補正方法】変更
【補正の内容】
【００２７】
なお、各装置（再生装置１、ネットワークスピーカ２Ｂ、２Ｃ、２Ｄ）は、それぞれ他の装置がどの部屋に設置されているかを認識できているものとする。例えば再生装置１は、ネットワークスピーカ２Ｂが部屋Ｂに設置されていること等を認識している。
これは各機器を設置した時にユーザが各機器の部屋（ゾーン）を設定することで可能である。
また、タッチパネルで操作可能なＧＵＩ（グラフィックユーザインターフェース）付きのリモートコントローラ３にも、予めネットワーク４上にどのような機器が配置されているかを登録しておくようにしておく。
【手続補正２】
【補正対象書類名】明細書
【補正対象項目名】００２８
【補正方法】変更
【補正の内容】
【００２８】
ここで、図１の基本構成との対応を述べると次のようになる。
例えば、ソース部ＳＣとして、サーバとなる再生装置１が相当する。また、アンプＡＭＰ１及びスピーカＳＰ１は、再生装置１の音声出力系（図３で述べる再生処理部１６，アンプ部１７，スピーカ部２０）と考えればよい。
アンプＡＭＰ２及びスピーカＳＰ２は、ネットワークスピーカ２Ｂと考えることができる。
アンプＡＭＰ３及びスピーカＳＰ３は、ネットワークスピーカ２Ｃと考えることができる。
アンプＡＭＰ４及びスピーカＳＰ４は、ネットワークスピーカ２Ｄと考えることができる。
コントローラＣＴＬとして、リモートコントローラ３が相当する。
もちろん、家庭内ネットワークシステムの構成例は多様に考えられ、例えばサーバ及びクライアント機器として機能できる再生装置が複数設置されたり、サーバ専用の機器が設置されることもある。もちろん、より多数の部屋で多様な機器が配置されることもある。
従って図１，図２の構成は一例に過ぎないことはいうまでもない。
【手続補正３】
【補正対象書類名】明細書
【補正対象項目名】００５３
【補正方法】変更
【補正の内容】
【００５３】
このリモートコントローラ３は、ユーザがタッチ操作を行うことに応じて、そのタッチ操作に応じたコマンドコードをコマンドメモリ４２から読み出し、ネットワーク４上の所要の機器に対して制御コマンドとして送信する。
上述のように、このリモートコントローラ３が、本発明請求項でいう制御端末装置に相当することとなる。
この図５の構成の場合、送受信部４３が請求項でいう送信部に相当する。
また表示部４５、表示駆動部４４が請求項でいう表示部に相当する。
またタッチパネルセンサ４６、位置検出部４７、入力検知部４１ｃが、請求項でいう操作検出部に相当する。
また、制御部４１が請求項でいう制御部に相当する。
【手続補正４】
【補正対象書類名】明細書
【補正対象項目名】００６１
【補正方法】変更
【補正の内容】
【００６１】
またスライドバーＳＬ１の全長は、例えば「０」〜「１００」までの音量設定に対応するものとされ、現在の設定音量の値が数値表示部Ｌ１に表示される。この図６の場合、ノブＮ１はスライドバーＳＬ１の中央にあるため、数値表示部Ｌ１には「５０」と表示される。
またミュートボタンＭＴ１は、対応する音声出力装置のミュート操作を行うための表示である。つまりユーザは、ミュートボタンＭＴ１を操作することで、再生装置１に対して設定音量を変更しないままの状態での音声出力の停止（ミュート）を指示できる。
【手続補正５】
【補正対象書類名】明細書
【補正対象項目名】００６３
【補正方法】変更
【補正の内容】
【００６３】
音声出力装置個別の操作を図７（ａ）に示す。
例えばユーザは、再生装置１の音量設定を上げたいと思った場合は、図のようにノブＮ１にタッチしながら、ノブＮ１をスライドバーＳＬ１上で右に移動させる。
図５に示した制御部４１は、このようなユーザ操作を検知することに応じて、表示上でノブＮ１がユーザの指について移動されていくようにし、数値表示部Ｌ１の数値も変化させる。また、その操作に応じて、制御部４１は、再生装置１に対して出力音量設定を、その操作量に応じた分だけ上昇させる制御コマンドを送信する。例えば図のように、ユーザがノブＮ１を「７５」の位置まで移動させた場合、音量設定状態を「７５」に相当するレベルまで上昇させる制御コマンドを再生装置１に送信する。再生装置１の制御部１１は、この制御コマンドの受信に応じて、アンプ部１７での出力音量設定を可変制御する。これにより、部屋Ａにおける再生装置１の出力音量が「７５」相当のレベルまで上昇される。
【手続補正６】
【補正対象書類名】明細書
【補正対象項目名】００６７
【補正方法】変更
【補正の内容】
【００６７】
例えば図９（ａ）は図７（ｂ）の状態から、ユーザがマスターノブＮＭを左側に「−２５」の位置までスライドさせた場合を示している。
リモートコントローラ３の制御部４１は、マスターノブＮＭに対するユーザ操作を検知することに応じて、表示上でマスターノブＮＭが指について移動されていくようにし、数値表示部ＬＭの数値も変化させる。さらに、各個別音量設定部ＦＤ１〜ＦＤ４については、ユーザのマスターノブＮＭの操作と同時に（或いはマスターノブＮＭの操作完了直後でもよい）、各ノブＮ１〜Ｎ４の位置を「−２５」分、移動させ、数値表示部Ｌ１〜Ｌ４の数値も−２５だけ減じた値とする。
そしてこれらの表示制御と共に、制御部４１は、再生装置１、ネットワークスピーカ２Ｂ、２Ｃ、２Ｄのそれぞれに対して、出力音量設定を、その操作量、つまり「−２５」だけ減少させる制御コマンドを送信する。
この制御コマンドを受信することで、再生装置１、ネットワークスピーカ２Ｂ、２Ｃ、２Ｄのそれぞれは主力音量設定を可変する。これにより、部屋Ａ、Ｂ、Ｃ、Ｄの各出力音量が、一括して「−２５」分相当のレベルだけ低下される。
【手続補正７】
【補正対象書類名】明細書
【補正対象項目名】００６８
【補正方法】変更
【補正の内容】
【００６８】
また図９（ｂ）は図７（ｂ）の状態から、ユーザがマスターノブＮＭを右側に「＋２５」の位置までスライドさせた場合を示している。
リモートコントローラ３の制御部４１は、マスターノブＮＭに対するユーザ操作を検知することに応じて、表示上でマスターノブＮＭが指について移動されていくようにし、数値表示部ＬＭの数値も変化させる。さらに、各個別音量設定部ＦＤ１〜ＦＤ４については、ユーザのマスターノブＮＭの操作と同時に（或いはマスターノブＮＭの操作完了直後に）、各ノブＮ１〜Ｎ４の位置を「＋２５」分、移動させ、数値表示部Ｌ１〜Ｌ４の数値も２５加算した値とする。
そしてこれらの表示制御と共に、制御部４１は、再生装置１、ネットワークスピーカ２Ｂ、２Ｃ、２Ｄのそれぞれに対して、出力音量設定を、その操作量、つまり設定音量の「＋２５」を指示する制御コマンドを送信する。
この制御コマンドを受信することで、再生装置１、ネットワークスピーカ２Ｂ、２Ｃ、２Ｄのそれぞれは出力音量設定を可変する。これにより、部屋Ａ、Ｂ、Ｃ、Ｄの各出力音量が、一括して「＋２５」分相当のレベルだけ上昇される。
【手続補正８】
【補正対象書類名】明細書
【補正対象項目名】００７２
【補正方法】変更
【補正の内容】
【００７２】
上述の図８（ｂ）の状態は、ストッパＳＴＰの左端が、スライドバーＳＬＭの左端に当接した状態であるが、これは例えばマスターノブＮＭによって一括音量設定が「−２５」とされた状態である。
つまり音量操作表示７０の全体で見れば、図９（ａ）の状態である。このとき、最も低い音量設定である個別音量設定部ＦＤ３（ネットワークスピーカ２Ｃ）は、レベル「０」の状態にまで音量設定が低下されている。
すると、それ以上マスターノブＮＭを左側にスライドし、それに応じた制御コマンドを各音声出力装置に送信しても、ネットワークスピーカ２Ｃについては実際の出力音量は既にゼロであるため、さらに低下されることはなく、結局、再生装置１とネットワークスピーカ２Ｂ、２Ｄの設定音量が下げられることとなる。この場合、各音声出力装置間の音量バランスが崩れることとなる。
【手続補正９】
【補正対象書類名】明細書
【補正対象項目名】００７３
【補正方法】変更
【補正の内容】
【００７３】
また上述の図８（ｃ）の状態は、ストッパＳＴＰの右端が、スライドバーＳＬＭの右端に当接した状態であるが、これは例えばマスターノブＮＭによって一括音量設定が「＋２５」とされた状態である。
つまり音量操作表示７０の全体で見れば、図９（ｂ）の状態である。このとき、最も高い音量設定である個別音量設定部ＦＤ１（再生装置１）は、レベル「１００」（最大レベル）の状態にまで音量設定が上昇されている。
すると、それ以上マスターノブＮＭを右側にスライドし、それに応じた制御コマンドを各音声出力装置に送信しても、再生装置１ではそれ以上の音量設定値のアップは行われず、ネットワークスピーカ２Ｂ、２Ｃ、２Ｄの設定音量が上げられることとなる。この場合も、各音声出力装置間の音量バランスが崩れる。
【手続補正１０】
【補正対象書類名】明細書
【補正対象項目名】００７８
【補正方法】変更
【補正の内容】
【００７８】
例えば図７（ｂ）の状態から、図１２（ａ）のようにユーザが個別音量設定部ＦＤ１のノブＮ１を操作したとする。例えば個別音量設定部ＦＤ１による再生装置１の音量設定をレベル「７５」から「６１」に低下させたとする。
この図１２（ａ）の状態では、最も高い音量設定値は、図７（ｂ）と同じく個別音量設定部ＦＤ１の設定値であるが、その音量設定値自体がレベル「６１」に低下されている。これに応じて、ストッパＳＴＰの右端は、個別音量設定部ＦＤ１のノブＮ１の位置に合わせた位置に変更される。ストッパＳＴＰの右端は個別音量設定部ＦＤ３のノブＮ３の位置のままである。
また同時に、マスターノブＮＭの位置は、ストッパＳＴＰで示される範囲の中央に配置されるようにする。そのため、この場合はマスターノブＮＭは「−９」相当位置に表示される。つまりマスターノブＮＭは、その左右のストッパＳＴＰの延伸長が等しくなる位置とされる。
なお、この図では、マスターノブＮＭの位置の変化に応じて数値表示部ＬＭを「−９」としているが、この場合、実際にはマスターノブＮＭは操作されていないので、マスターノブＮＭの位置が「−９」相当位置であっても、数値表示部ＬＭは「±０」のままとしてもよい。つまり、数値表示部ＬＭの数値は、表示上のマスターノブＮＭの位置に対応させるか、或いは実際のマスターノブＮＭの操作量に応じた値にするかのいずれかとすればよい。
【手続補正１１】
【補正対象書類名】明細書
【補正対象項目名】００９０
【補正方法】変更
【補正の内容】
【００９０】
マスター音量設定部ＦＤＭのミュートボタンＭＴＭがタップされた場合を図１４（ｂ）に示す。本例では、マスター音量設定部ＦＤＭのミュートボタンＭＴＭが操作された場合は、全音声出力装置のミュート処理を行うこととする。
即ち制御部４１は個別音量設定部ＦＤ１〜ＦＤ４に対応する再生装置１、ネットワークスピーカ２Ｂ、２Ｃ、２Ｄのそれぞれに対して、ミュートを指示する制御コマンドを送信する処理を行う。これによって各音声出力装置で、音量設定はそのままで、音声出力を止めるミュート処理が行われる。
また制御部４１はミュートボタンＭＴＭ、ＭＴ１〜ＭＴ４の表示を、図１４（ｂ）のようにミュート状態であることを提示する表示とする。
【手続補正１２】
【補正対象書類名】明細書
【補正対象項目名】０１０９
【補正方法】変更
【補正の内容】
【０１０９】
＜８．処理例＞
ここまで、リモートコントローラ３の音量操作表示７０を用いたユーザ操作、制御コマンドの送信、及び表示の切換について述べてきた。
ここでは、上記の各動作を実現するためのリモートコントローラ３の制御部４１の処理例を図１７，図１８で説明する。
【手続補正１３】
【補正対象書類名】明細書
【補正対象項目名】０１１０
【補正方法】変更
【補正の内容】
【０１１０】
図１７，図１８の処理は表示部４５に音量操作表示７０を表示させている際の制御部４１の処理例を示している。
図１７のステップＦ１０１は、図６のように表示部４５において音量操作表示７０の表示を開始させる処理である。
ステップＦ１０１で音量操作表示７０を表示させた後は、制御部４１はステップＦ１０２，Ｆ１０３で、マスター音量設定部ＦＤＭ又は個別音量設定部ＦＤ１〜ＦＤ４についてのユーザのタッチ操作の監視を行う。
【手続補正１４】
【補正対象書類名】図面
【補正対象項目名】図５
【補正方法】変更
【補正の内容】
【図５】
2012054857.tif 000001